(57)【要約】  【課題】遊技球が螺旋通路を回転しながら落下し、その際、螺旋回転体も回転する独特な球誘導を行うことができ、しかも、螺旋通路内の遊技球をガイド筒体の外部に排出する遊技球排出位置を高さ方向で変化させる斬新な振り分けを可能にする、球誘導装置を備えたパチンコ遊技機を提供する。  【解決手段】球誘導装置１６は、ガイド筒体５０の上球入口５０ａと下球出口５０ｂとの間の高さ方向途中部に、螺旋通路と連通するように形成された途中球出口５０ｃ，５０ｄを備え、螺旋通路６０ａ内の遊技球Ｂをガイド筒体５０の外部に下球出口５０ｂと途中球出口５０ｃ，５０ｄの何れか１つから択一的に排出するように構成されている。【選択図】  図７
2010110516.tif 000002
【特許請求の範囲】
【請求項１】
遊技盤に設けられ上球入口と下球出口とを上下両端部に有するガイド筒体と、このガイド筒体に回転自在に収容支持されてガイド筒体の内部に上球入口と下球出口とに連通する螺旋通路を形成する螺旋回転体とを有する球誘導装置を備えたパチンコ遊技機において、
前記球誘導装置は、
前記螺旋回転体を回転駆動する電動モータを有する回転駆動手段と、
前記回転駆動手段を制御する回転制御手段と、
前記ガイド筒体の上球入口と下球出口との間の高さ方向途中部に、螺旋通路と連通するように形成された１又は複数の途中球出口とを備え、
前記螺旋通路内の遊技球をガイド筒体の外部に下球出口と１又は複数の途中球出口の何れか１つから択一的に排出するように構成したことを特徴とするパチンコ遊技機。
【請求項２】
前記途中球出口は、回転する螺旋回転体に対して、螺旋通路内の遊技球を排出可能な排出可能位置と排出不可能な排出不可能位置とに交互に切り換わるように構成されたことを特徴とする請求項１に記載のパチンコ遊技機。
【請求項３】
始動入賞口と、この始動入賞口への遊技球の入賞を契機に所定条件が成立した場合に開放される大入賞口と、始動入賞口の上側に設けられ遊技球が転動する転動面と遊技球を始動入賞口へ案内する入賞案内部とを有するステージとを備え、
前記ステージへ遊技球を導くワープ通路の少なくとも一部にガイド筒体とその内部の螺旋通路が設けられ、ガイド筒体の下球出口がステージの転動面に接近配置されたことを特徴とする請求項１又は２に記載のパチンコ遊技機。
【請求項４】
前記回転制御手段は、螺旋回転体の回転速度と回転方向の少なくとも一方を変化させるように制御することを特徴とする請求項１〜３の何れかに記載のパチンコ遊技機。
【発明の詳細な説明】
【技術分野】
【０００１】
本発明はパチンコ遊技機の球誘導装置に関し、特に、螺旋回転体がガイド筒体に回転自在に収容支持されてガイド筒体の内部に螺旋通路を形成し、螺旋通路内の遊技球をガイド筒体の外部に排出する位置を高さ方向で変化させるものである。
【背景技術】
【０００２】
従来、パチンコ遊技機において、遊技領域に発射された遊技球を誘導する球誘導装置として、上球入口と下球出口とを上下両端部に有するガイド筒体と、このガイド筒体に回転自在に収容支持されてガイド筒体の内部に上球入口と下球出口とに連通する螺旋通路を形成する螺旋回転体とを備えたもの（例えば、特許文献１，２参照）が公知である。
【０００３】
特許文献１に記載の球誘導装置では、螺旋回転体が電動モータで回転駆動されて、遊技球が螺旋回転体の下端から落下する位置が変化する。この球誘導装置は、所謂羽根物パチンコ機のセンタ役内に設けられ、遊技球をセンタ役物内の上部ステージから下部ステージに誘導する。遊技球が螺旋回転体の下端から落下する位置が変化するため、遊技球がセンタ役物内のＶゾーンに入賞し易くなったり入賞しにくくなったりする。
【０００４】
特許文献２に記載の球誘導装置では、螺旋回転体が遊技球の自重で回転して、遊技球が螺旋回転体の下端から落下する位置が変化する。この球誘導装置は、センタ役物に設けられ、遊技球をセンタ役物の上部から下部のステージに誘導する。そのステージの下側に始動入賞口が設けられ、この始動入賞口への遊技球の入賞を契機に所定条件が成立した場合に大入賞口が開放される。遊技球が螺旋回転体の下端から落下する位置が変化するため、遊技球が始動入賞口に入賞し易くなったり入賞しにくくなったりする。
【０００５】
【特許文献１】特開２００６−１２２４８５号公報
【特許文献２】特開２００４−２２３０６１号公報
【発明の開示】
【発明が解決しようとする課題】
【０００６】
ガイド筒体と螺旋回転体とを備えた球誘導装置では、遊技球が螺旋通路を回転しながら落下し、その際、螺旋回転体（即ち螺旋通路）も回転する独特な球誘導が可能になるが、上球入口からガイド筒体の内部に入った遊技球は、常に、下球出口まで案内されて、下球出口からガイド筒体の外部に出ることから、螺旋通路内の遊技球をガイド筒体の外部に排出する遊技球排出位置がガイド筒体の下端側に制限されてしまう。
【０００７】
特許文献１，２に記載の球誘導装置では、何れも、螺旋回転体が回転することで、遊技球が螺旋回転体の下端から落下する位置が変化するが、前記同様、遊技球排出位置がガイド筒体の下端側に制限され、つまり、ガイド筒体と螺旋回転体とを備えた従来の球誘導装置では、遊技球排出位置について改良する余地がある。
【０００８】
本発明の目的は、遊技球が螺旋通路を回転しながら落下し、その際、螺旋回転体も回転する独特な球誘導を行うことができ、しかも、螺旋通路内の遊技球をガイド筒体の外部に排出する遊技球排出位置を高さ方向で変化させる斬新な振り分けを可能にする、パチンコ遊技機の球誘導装置を提供することである。
【課題を解決するための手段】
【０００９】
請求項１の発明は、遊技盤(4) に設けられ上球入口(50a) と下球出口(50b) とを上下両端部に有するガイド筒体(50)と、このガイド筒体(50)に回転自在に収容支持されてガイド筒体(50)の内部に上球入口(50a) と下球出口(50b) とに連通する螺旋通路(60a) を形成する螺旋回転体(60)とを有する球誘導装置(16)を備えたパチンコ遊技機(1) において、前記球誘導装置(16)は、前記螺旋回転体(60)を回転駆動する電動モータ(71)を有する回転駆動手段(70)と、前記回転駆動手段(70)を制御する回転制御手段(21)と、前記ガイド筒体(50)の上球入口(50a) と下球出口(50b) との間の高さ方向途中部に、螺旋通路(60a) と連通するように形成された１又は複数の途中球出口(50c,50d) とを備え、前記螺旋通路(60a) 内の遊技球(B) をガイド筒体(50)の外部に下球出口(50b) と１又は複数の途中球出口(50c,50d) の何れか１つから択一的に排出するように構成したことを特徴とする。
【００１０】
この球誘導装置(16)では、遊技球(B) が、上球入口(50a) からガイド筒体(50)の内部に入ると、螺旋通路(60a) を回転しながら落下する。その際、回転制御手段(21)により回転駆動手段(70)が駆動制御され、回転駆動手段(70)により螺旋回転体(60)が回転駆動され、螺旋通路(60a) も回転する。ガイド筒体(50)の上球入口(50a) と下球出口(50b) との間の高さ方向途中部に、１又は複数の途中球出口(50c,50d) が螺旋通路(60a) と連通するように形成され、螺旋通路(60a) 内の遊技球(B) はガイド筒体(50)の外部に下球出口(50b) と１又は複数の途中球出口(50c,50d) の何れか１つから択一的に排出される。
【００１１】
請求項２の発明は、請求項１の発明において、前記途中球出口(50c,50d) は、回転する螺旋回転体(60)に対して、螺旋通路(60a) 内の遊技球(B) を排出可能な排出可能位置と排出不可能な排出不可能位置とに交互に切り換わるように構成されたことを特徴とする。
【００１２】
請求項３の発明は、請求項１又は２の発明において、始動入賞口(10a,10b) と、この始動入賞口(10a,10b) への遊技球(B) の入賞を契機に所定条件が成立した場合に開放される大入賞口(12a) と、始動入賞口(10a,10b) の上側に設けられ遊技球(B) が転動する転動面(45,46,48)と遊技球(B) を始動入賞口(10a) へ案内する入賞案内部(40)とを有するステージ(15)とを備え、前記ステージ(15)へ遊技球(B) を導くワープ通路(55)の少なくとも一部にガイド筒体(50)とその内部の螺旋通路(60a) が設けられ、ガイド筒体(50)の下球出口(50b) がステージ(15)の転動面(45)に接近配置されたことを特徴とする。
【００１３】
請求項４の発明は、請求項１〜３の何れかの発明において、前記回転制御手段(21)は、螺旋回転体(60)の回転速度と回転方向の少なくとも一方を変化させるように制御することを特徴とする。
【発明の効果】
【００１４】
請求項１のパチンコ遊技機によれば、球誘導装置が前記ガイド筒体と螺旋回転体と回転駆動手段と回転制御手段とを備えたので、遊技球が螺旋通路を回転しながら落下し、その際、螺旋回転体（即ち螺旋通路）も回転する独特な球誘導を行って、遊技者の興趣を高めることができる。しかも、ガイド筒体の上球入口と下球出口との間の高さ方向途中部に、螺旋通路と連通するように形成された１又は複数の途中球出口を備え、螺旋通路内の遊技球をガイド筒体の外部に下球出口と１又は複数の途中球出口の何れか１つから択一的に排出するように構成したので、螺旋通路内の遊技球をガイド筒体の外部に排出する遊技球排出位置を高さ方向で変化させる斬新な振り分けが可能になる。
【００１５】
請求項２のパチンコ遊技機によれば、途中球出口は、回転する螺旋回転体に対して、螺旋通路内の遊技球を排出可能な排出可能位置と排出不可能な排出不可能位置とに交互に切り換わるように構成されたので、螺旋回転体の回転を伴って、螺旋通路内の遊技球を下球出口と１又は複数の途中球出口の何れか１つから択一的に排出する構成を確実に実現することができる。
【００１６】
請求項３のパチンコ遊技機によれば、始動入賞口と、この始動入賞口への遊技球の入賞を契機に所定条件が成立した場合に開放される大入賞口と、始動入賞口の上側に設けられ遊技球が転動する転動面と遊技球を始動入賞口へ案内する入賞案内部とを有するステージとを備え、ステージへ遊技球を導くワープ通路の少なくとも一部にガイド筒体とその内部の螺旋通路が設けられ、ガイド筒体の下球出口がステージの転動面に接近配置されたので、遊技球がワープ通路でステージへ導かれる際、前記独特な球誘導を行うことができる。そして、螺旋通路内の遊技球が下球出口から排出された場合にステージの転動面から入賞案内部に入り易く、また、途中球出口から排出された場合に入賞案内部に入りにくくすることで、ワープ通路で導かれた遊技球が入賞案内部に入る確率、即ち、始動入賞口に入賞する入賞率を変化させるように構成することができる。
【００１７】
請求項４のパチンコ遊技機によれば、回転制御手段は、螺旋回転体の回転速度と回転方向の少なくとも一方を変化させるように制御するので、螺旋通路における遊技球の回転速度や落下速度を変化させることができ、その落下速度を低下させる程、螺旋通路内の遊技球を途中球出口から排出させ易くすることが期待できる。
【発明を実施するための最良の形態】
【００１８】
本発明のパチンコ遊技機の球誘導装置は、遊技盤に設けられ上球入口と下球出口とを上下両端部に有するガイド筒体、ガイド筒体に回転自在に収容支持されてガイド筒体の内部に上球入口と下球出口とに連通する螺旋通路を形成する螺旋回転体、螺旋回転体を回転駆動する電動モータを有する回転駆動手段、回転駆動手段を制御する回転制御手段、ガイド筒体の上球入口と下球出口との間の高さ方向途中部に螺旋通路と連通するように形成された１又は複数の途中球出口を備え、螺旋通路内の遊技球をガイド筒体の外部に下球出口と１又は複数の途中球出口の何れか１つから択一的に排出するように構成している。
【実施例】
【００１９】
図１、図２に示すように、パチンコ遊技機１には、遊技ホールに取付けられる外枠に開閉枠２が開閉自在に装着され、開閉枠２に開閉扉３が開閉自在に装着されている。開閉枠２に遊技盤４が装着され、その遊技盤４の前面側に遊技領域５が形成されている。開閉扉３に窓３ａが形成され、その窓３ａに透明板３ｂが装着され、その透明板３ｂにより遊技領域５の前側が覆われている。
【００２０】
開閉扉３の窓３ａの下側には、遊技球Ｂを貯留する貯留皿６と、遊技者が操作する発射ハンドル７が装着されている。発射ハンドル７が回動操作されると、貯留皿６から発射位置に導入された遊技球Ｂが発射され、ここで、貯留皿６に複数の遊技球Ｂが存在する場合には、例えば、複数の遊技球Ｂが約０．６秒間隔で連続発射される。発射された遊技球Ｂは、ガイドレール８で案内されて遊技領域５の上部に投入される。
【００２１】
図２〜図４に示すように、遊技盤４には、遊技領域５に、多数の障害釘（図示略）の他、始動入賞口装置１０、ゲート１１、大入賞口装置１２、普通入賞口１３、画像表示器１４、ステージ１５、球誘導装置１６、センタ役物１７が装着され、遊技領域５外に遊技表示盤１８が装着され、遊技盤４の裏面側に制御装置２０が装着されている。
【００２２】
始動入賞口装置１０は、センタ役物１７の下側に配置され、所謂電チューを含む構成で、上始動入賞口１０ａ、下始動入賞口１０ｂ、下始動入賞口１０ｂを開閉する開閉部材１０ｃ、始動入賞口１０ａ，１０ｂに入賞した遊技球Ｂを検出する始動口ＳＷ１０ｄ、開閉部材１０ｃを開閉駆動する電チューソレノイド１０ｅを有する。開閉部材１０ｃは、左右対称の２つの短い羽根部材が遊技盤４の盤面直角方向の軸回りに動作するように構成され、閉塞位置で下始動入賞口１０ｂへの遊技球Ｂの入賞を不可能にし、開放位置で下始動入賞口１０ｂへの遊技球Ｂの入賞を可能にする。
【００２３】
ゲート１１は、センタ役物１７の左側に配置され、このゲート１１を通過した遊技球Ｂを検出するゲートＳＷ１１ａが付設されている。ゲート１１を遊技球Ｂが通過することを契機に行われる当り抽選で当選した場合に、補助遊技が発生し、始動入賞口装置１０が作動して、通常は閉塞の下始動入賞口１０ｂが開放するように開閉部材１０ｃを開閉動作させる。
【００２４】
大入賞口装置１２は、始動入賞口装置１０の下側に配置され、大入賞口１２ａ、大入賞口１２ａを開閉する開閉部材１２ｂ、大入賞口１２ａに入賞した遊技球Ｂを検出する大入賞口ＳＷ１２ｃ、開閉部材１２ｂを開閉駆動する大入賞口ソレノイド１２ｄを有する。開閉部材１２ｂは、１つの開閉板が遊技盤４の盤面平行方向の軸回りに動作するように構成され、閉塞位置で大入賞口１２ａへの遊技球Ｂの入賞を不可能にし、開放位置で大入賞口１２ａへの遊技球Ｂの入賞を可能にする。
【００２５】
始動入賞口１０ａ，１０ｂへの遊技球Ｂの入賞を契機に行われる大当り抽選で当選するとうい所定条件が成立した場合に、大当り遊技が発生し、大入賞口装置１２が作動して、通常は閉塞の大入賞口１２ａが開放するように開閉部材１２ｂを開閉動作させる。普通入賞口１３は複数設けられ、この普通入賞口１３に入賞した遊技球Ｂを検出する普通入賞口ＳＷ１３ａが付設されている。
【００２６】
画像表示器１４は、液晶ディスプレイからなり、センタ役物１７に大きく設けられている。この画像表示器１４には、始動入賞口１０ａ，１０ｂへの遊技球Ｂの入賞を契機に大当り抽選演出が表示され、その大当り抽選演出では、例えば、演出図柄を用いて図柄変動や大当り抽選の結果が表示され、また、大当り遊技中には大当り演出が表示される。
【００２７】
ステージ１５はセンタ役物１７の下部に設けられ、球誘導装置１６はセンタ役物１７の左部に設けられている。このステージ１５と球誘導装置１６については後で詳しく説明する。尚、センタ役物１７には、画像表示器１４、ステージ１５、球誘導装置１６の他に、種々の電飾も設けられている。
【００２８】
遊技表示盤１８は、遊技領域５の下部右側に前方へ向けて配置され、特別図柄表示器１８ａ、普通図柄表示器１８ｂ、特別図柄保留ランプ１８ｃ、普通図柄保留ランプ１８ｄ（図４参照）を備えている。特別図柄表示器１８ａには、始動入賞口１０ａ，１０ｂへの遊技球Ｂの入賞を契機に行われる大当り抽選の結果が変動表示後に表示され、普通図柄表示器１８ｂには、ゲート１１を遊技球Ｂが通過することを契機に行われる抽選の結果が変動表示後に表示される。
【００２９】
始動入賞口１０ａ，１０ｂに入賞した遊技球Ｂの数であって、特別図柄表示器１８ａの変動に供しない（後で大当り抽選の結果が得られる）特別図柄の保留数が最大で４つまで保留され、特別図柄保留ランプ１８ｃには、その特別図柄の保留数が表示される。同様に、ゲート１１を通過した遊技球Ｂの数であって、普通図柄表示器１８ｂの変動に供しない（後で当り抽選の結果が得られる）普通図柄の保留数が最大で４つまで保留され、普通図柄保留ランプ１８ｄには、その普通図柄の保留数が表示される。
【００３０】
発射ハンドル７を回動操作することで、発射され遊技領域５の上部に投入された遊技球Ｂは、複数の障害釘等に当たって方向を変えながら落下して、入賞口１０ａ，１０ｂ，１２ａ，１３の何れかに入賞した場合、そこから遊技領域５外へ排出され、入賞口１０ａ，１０ｂ，１２ａ，１３の何れにも入賞しなかった場合には、最終的に、遊技領域５の下端部に形成されたアウト口１９から遊技領域５外へ排出される。
【００３１】
図４に示すように、制御装置２０は、メイン制御装置２１とサブ制御装置２５とで構成されている。メイン制御装置２１は、メイン制御基板２２にＣＰＵとＲＯＭとＲＡＭを備えて構成され、サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成されている。
【００３２】
メイン制御基板２２が、始動口ＳＷ１０ｄ、ゲートＳＷ１１ａ、大入賞口ＳＷ１２ｃ、普通入賞口ＳＷ１３ａから検出信号を受けて、また、払出制御基板２６から制御情報を受けて、電チューソレノイド１０ｅ、大入賞口ソレノイド１２ｄ、特別図柄表示器１８ａ、普通図柄表示器１８ｂ、特別図柄保留ランプ１８ｃ、普通図柄保留ランプ１８ｄ、球誘導装置１６の電動モータ７１を制御する。
【００３３】
メイン制御装置２１は、始動入賞口１０ａ，１０ｂへの遊技球Ｂの入賞を契機に大当り抽選を行い、この大当り抽選で当選した場合に大当り遊技として大入賞口１２ａを所定の開閉パターンで開閉させるように大入賞口装置１２を制御し、また、大当り抽選で当選した場合に確変抽選を行い、大当り抽選の当選確率を確変抽選で落選した場合に所定の低確率（例えば、約１／３００）に設定し且つ確変抽選で当選した場合に低確率よりも高い高確率（例えば、約１／３０）に設定するように構成されている。
【００３４】
払出制御基板２６は、メイン制御基板２２から制御情報を受け、払出駆動モータ３０を制御し、入賞口１０ａ，１０ｂ，１２ａ，１３への遊技球Ｂの入賞１個について、入賞口１０ａ，１０ｂ，１２ａ，１３毎に設定された数の遊技球Ｂを貯留皿６に払い出す。演出制御基板２７は、メイン制御基板２２から制御情報を受け、また、演出ボタン３１から入力信号を受け、画像制御基板２８とランプ制御基板２９に夫々制御情報を出力する。
【００３５】
画像制御基板２８は、演出制御基板２７から制御情報を受け、画像表示器１４とスピーカ３２を制御する。ランプ制御基板２９は、演出制御基板２７から制御情報を受け、主に画像制御基板２８による制御に同期させて、枠ランプ３３と盤ランプ３４とを制御する。例えば、スピーカ３２と枠ランプ３３は開閉扉３に設けられ、盤ランプ３４は遊技盤４に設けられている。
【００３６】
次に、ステージ１５と球誘導装置１６について詳しく説明する。
図２、図３に示すように、ステージ１５は、始動入賞口１０ａ，１０ｂの上側に設けられ、遊技球Ｂが転動すると共に遊技球Ｂを上始動入賞口１０ａへ案内する入賞案内部４０を有する。ステージ１５は、前面が遊技盤４の盤面（前面）と略同じ前後方向位置となるステージ前面部４１と、ステージ前面部４１の上端部から後方へ連なるステージ上面部４２と、ステージ上面部４２の後端部に形成されたステージ後端起立部４３とを有し、ステージ後端起立部４３が画像表示器１４の下端部に近接している。
【００３７】
ステージ上面部４２には、遊技球Ｂが転動する転動面として、最も後側に左右方向に細長い第１転動面４５が形成され、第１転動面４５の左右方向中央部分の前側に第２転動面４６と１対の山部４７とが形成され、第１転動面４５の前側及び第２転動面４６と１対の山部４７の前側に左右方向に細長い第３転動面４８が形成されている。
【００３８】
第１転動面４５は緩やかな山形に形成されるとともに、その左右両端部分は緩やかな谷形に形成されている。第２転動面４６は１対の山部４７の間の谷底となるように形成され、第３転動面４８は緩やかな谷形に形成されている。第１，第３転動面４５，４８の両端部同士は連続面となるように繋がっている。第１転動面４５を転動する遊技球Ｂは、第２転動面４６又は第３転動面４８へ移動可能であり、第２転動面４６を転動する遊技球Ｂは第３転動面４８へ移動する。第３転動面４８を転動する遊技球Ｂは、第２転動面４６と１対の山部４７の前側における左右方向位置から落下する。
【００３９】
入賞案内部４０は、第１転動面４５の山頂部の後方位置においてステージ後端起立部４３に形成された案内入口４０ａと、この案内入口４０ａよりも前方且つ下方に位置してステージ前面部４１に形成された案内出口４０ｂと、案内入口４０ａと案内出口４０ｂとを繋ぐ案内通路４０ｃとを有する。遊技球Ｂが、第１転動面４５を左右方向へ転動し、特にその転動速度が遅いときに、第１転動面４５の山頂部から案内入口４０ａに入り易く、そうなると、案内通路４０ｃを通って案内出口４０ｂから排出される。
【００４０】
案内出口４０ｂの真下に上始動入賞口１０ａが上方開口状に配置され、故に、案内出口４０ｂから排出された遊技球Ｂは上始動入賞口１０ａに入賞する可能性が非常に高くなる。案内出口４０ｂから排出された遊技球Ｂが、上始動入賞口１０ａに入賞しない場合でも、開閉部材１０ｃが開放位置のときには、下始動入賞口１０ｂに入賞する可能性が高くなる。また、開閉部材１０ｃが開放位置のときには、第２転動面４６から第３転動面４８を介して落下した遊技球Ｂも下始動入賞口１０ｂに入賞する可能性が高くなる。
【００４１】
図２、図３、図５〜図８に示すように、球誘導装置１６は、遊技盤４に設けられ上球入口５０ａと下球出口５０ｂとを上下両端部に有する合成樹脂製のガイド筒体５０と、ガイド筒体５０に回転自在に収容支持されてガイド筒体５０の内部に上球入口５０ａと下球出口５０ｂとに連通する螺旋通路６０ａを形成する合成樹脂製の螺旋回転体６０と、螺旋回転体６０を回転駆動する電動モータ７１を有する回転駆動機構７０（回転駆動手段）と、回転駆動機構７０（電動モータ７１）を制御するメイン制御装置２１（回転制御手段）とを備えている。
【００４２】
また、球誘導装置１６は、ガイド筒体５０の上球入口５０ａと下球出口５０ｂとの間の高さ方向途中部に、螺旋通路と連通するように形成された２つの途中球出口５０ｃ，５０ｄを備え、螺旋通路６０ａ内の遊技球Ｂをガイド筒体５０の外部に下球出口５０ｂと２つの途中球出口５０ｃ，５０ｄの何れか１つから択一的に排出するように構成されている。
【００４３】
球誘導装置１６はセンタ役物１７の左部に立設され、センタ役物１７の上部左端側からステージ１５へ遊技球Ｂを導くワープ通路５５の一部（大部分）に、ガイド筒体５０とその内部の螺旋通路６０ａが設けられている。ガイド筒体５０の上球入口５０ａには、先端部がセンタ役物１７の上部左端側へ開口して臨む筒状部材５６の基端部が接続され、この筒状部材５６と球誘導装置１６とでワープ通路５５が形成されている。
【００４４】
ガイド筒体５０は、筒状の周壁５１と、周壁５１の上端を塞ぐ上壁５２と、周壁５１の下端を塞ぐ底壁５３とを有する。上壁５２に上球入口５０ａが形成され、周壁５１に下球出口５０ｂと途中球出口５０ｃ，５０ｄが形成されている。下球出口５０ｂは、周壁５１の下端部において、ステージ１５の中央部分（右方）に向くように、ステージ１５の第１転動面４５に接近配置され、その下端が底壁５３の上面に連なる門形に形成されている。底壁５３の上面は、下球出口５０ｂに向かって下方へ傾斜する傾斜面に形成されている。
【００４５】
途中球出口５０ｃ，５０ｄは、周壁５１の下球出口５０ｂよりも上方において、互いに高さ位置が異なるように、夫々、下球出口５０ｂと同方向（右方）に向く円形に形成されている。途中球出口５０ｃ，５０ｄは、遊技球Ｂの直径よりも大きい直径となり、更に、螺旋回転体６０の螺旋ピッチ程度の直径となるサイズに形成されている。
【００４６】
ガイド筒体５０は、遊技者が視認可能な位置に配置され、ガイド筒体５０の少なくとも周壁５１が透明又は半透明で構成されている。つまり、ガイド筒体５０の内部の遊技球Ｂの動き（回転、落下）を遊技者が見ることができる。尚、上壁５２と底壁５３の一方と周壁５１とを一体成形し、周壁５１の内部に螺旋回転体６０を収容した後、上壁５２と底壁５３の他方を周壁５１に固着するようにしてもよい。
【００４７】
螺旋回転体６０は、軸部６１と、軸部６１に固着され軸部６１の外周外側（径方向外側）へ張出す連続した１つの螺旋部６２とを有し、この軸部６１と螺旋部６２は一体成形されている。螺旋部６２の上面は、外周外側へ向かって下方へ傾斜する傾斜面に形成されている。また、螺旋部６２の下面は、外周外側へ向かって上方へ傾斜する傾斜面に形成されている。螺旋部６２の外周外端と周壁５１との間には、そこから遊技球Ｂが落下しない適度な隙間６３が形成されている。
【００４８】
金属製の回転軸６５が軸部６１に挿通状に固着され、その上下両端部分が軸部６１から突出している。軸部６１の上端部は上壁５２に接近対向し、回転軸６５の上端部分が上壁５２に回転自在に係合支持されている。軸部６１の下端部は底壁５３に回転自在に内嵌支持され、回転軸６５の下端部分が、回転駆動機構７０のギヤ７５に貫通状に固着されるとともに、ガイド筒体５０の下側に配設されガイド筒体５０と固定関係にある駆動系ベース７６に回転自在に係合支持されている。
【００４９】
回転駆動機構７０は、電動モータ７１と、電動モータ７１の駆動力を回転軸６５に伝達するギヤ機構７２とを有する。ギヤ機構７２は３個のギヤ７３〜７５を有し、これらギヤ７３〜７５は互いに噛合した状態で、駆動系ベース７６に回転自在に取付けられている。ギヤ７３，７５に夫々に電動モータ７１の出力軸７１ａと回転軸６５が固着されている。
【００５０】
メイン制御装置２１は、螺旋回転体６０の回転速度と回転方向を一定とするように、或いは、螺旋回転体６０の回転速度と回転方向の一方を変化させるように、或いは、螺旋回転体６０の回転速度と回転方向の両方を変化させるように、電動モータ７１を制御するように構成できる。但し、螺旋回転体６０の回転速度と回転方向の少なくとも一方を変化させる場合には、螺旋回転体６０の動きに周期性を持たせることが好ましい。
【００５１】
ここで、ガイド筒体５０に形成された各途中球出口５０ｃ，５０ｄは、回転する螺旋回転体６０に対して、図９に示すように、螺旋通路６０ａ内の遊技球Ｂを排出可能な排出可能位置と、図１０に示すように、螺旋通路６０ａ内の遊技球Ｂを排出不可能な排出不可能位置とに交互に切り換わるように構成されている。
【００５２】
即ち、図９、図１０に示すように、螺旋回転体６０が回転すると、螺旋通路６０ａも回転し、その螺旋通路６０ａにおける遊技球Ｂの軌道のうち、途中球出口５０ｃ，５０ｄ側の軌道部分が上下方向へ変位するため、図９に示すように、前記軌道部分の外周外側に途中球出口５０ｃ，５０ｄの略全体が位置すれば、その途中球出口５０ｃ，５０ｄが排出可能位置となり、図１０に示すように、前記軌道部分の外周外側に途中球出口５０ｃ，５０ｄの略全体が位置しなければ、その途中球出口５０ｃ，５０ｄが排出不可能位置となる。
【００５３】
球誘導装置１６の作用効果について説明する。
球入口５０ａからガイド筒体５０の内部に入った遊技球Ｂは、螺旋部６２の上面と周壁５１の内周面に接触した状態で螺旋通路６０ａを回転しながら落下し、その際、螺旋回転体６０が回転し、故に、螺旋通路６０ａも回転する。
【００５４】
ここで、螺旋通路６０ａにおける遊技球Ｂの落下速度については、螺旋回転体６０が回転停止している場合に比べて、螺旋回転体６０が遊技球Ｂの回転方向と同方向へ回転した場合の方が低速に、更に、前記同方向への螺旋回転体６０の回転速度が早くなる程低速になり、また、螺旋回転体６０が遊技球Ｂの回転方向と逆方向へ回転した場合の方が高速に、更に、前記逆方向への螺旋回転体６０の回転速度が早くなる程高速になる。
【００５５】
螺旋通路６０ａ内の遊技球Ｂは、ガイド筒体５０の外部に下球出口５０ｂと２つの途中球出口５０ｃ，５０ｄの何れか１つから択一的に排出される。下球出口５０ｂから排出された遊技球Ｂは、第１転動面４５に滑らかに移載され、第１転動面４５を滑らかに転動して、入賞案内部４０に入る、即ち上始動入賞口１０ａに入賞する可能性が高くなる。
【００５６】
一方、途中球出口５０ｄから排出された遊技球Ｂは、下球出口５０ｂから排出された場合よりも、上方からステージ１５に落下して、ステージ１５上における遊技球の挙動が大きく変化するため、入賞案内部４０に入る可能性が低くなり、更に、途中球出口５０ｃから排出された遊技球Ｂは、途中球出口５０ｄから排出された場合よりも、より上方からステージ１５に落下して、ステージ１５上における遊技球の挙動がより大きく変化するため、入賞案内部４０に入る可能性がより低くなる。
【００５７】
以上説明したように、この球誘導装置１６によれば、ガイド筒体５０と螺旋回転体６０と回転駆動機構７０とメイン制御装置２１とを備えたので、遊技球Ｂが螺旋通路６０ａを回転しながら落下し、その際、螺旋回転体６０（即ち螺旋通路６０ａ）も回転する独特な球誘導を行って、遊技者の興趣を高めることができる。
【００５８】
しかも、ガイド筒体５０の上球入口５０ａと下球出口５０ｂとの間の高さ方向途中部に、螺旋通路６０ａと連通するように形成された２つの途中球出口５０ｃ，５０ｄを備え、螺旋通路６０ａ内の遊技球Ｂをガイド筒体５０の外部に下球出口５０ｂと２つの途中球出口５０ｃ，５０ｄの何れか１つから択一的に排出するように構成したので、螺旋通路６０ａ内の遊技球Ｂをガイド筒体５０の外部に排出する遊技球排出位置を高さ方向で変化させる斬新な振り分けが可能になる。
【００５９】
途中球出口５０ｃ，５０ｄは、回転する螺旋回転体６０に対して、螺旋通路６０ａ内の遊技球Ｂを排出可能な排出可能位置と排出不可能な排出不可能位置とに交互に切り換わるように構成されたので、螺旋回転体６０の回転を伴って、螺旋通路６０ａ内の遊技球Ｂを下球出口５０ｂと２つの途中球出口５０ｃ，５０ｄの何れか１つから択一的に排出する構成を確実に実現することができる。
【００６０】
ステージ１５へ遊技球Ｂを導くワープ通路５５の少なくとも一部にガイド筒体５０とその内部の螺旋通路６０ａが設けられ、ガイド筒体５０の下球出口５０ｂがステージ１５の第１転動面４５に接近配置されたので、遊技球Ｂがワープ通路５５でステージ１５へ導かれる際、前記独特な球誘導を行うことができる。そして、螺旋通路６０ａ内の遊技球Ｂが下球出口５０ｂから排出された場合にステージ１５の第１転動面４５から入賞案内部４０に入り易く、また、途中球出口５０ｃ，５０ｄから排出された場合に入賞案内部４０に入りにくくなるので、ワープ通路５５で導かれた遊技球Ｂが入賞案内部４０に入る確率、即ち、上始動入賞口１０ａに入賞する入賞率を変化させるように構成することができる。
【００６１】
メイン制御装置２１は、螺旋回転体６０の回転速度と回転方向の少なくとも一方を変化させるように制御するので、螺旋通路６０ａにおける遊技球Ｂの回転速度や落下速度を変化させることができ、その落下速度を低下させる程、螺旋通路６０ａ内の遊技球Ｂを途中球出口５０ｃ，５０ｄから排出させ易くすることが期待できる。
【００６２】
その他、本発明の趣旨を逸脱しない範囲において、前記開示事項以外の種々の変更を付加して実施可能である。例えば、途中球出口の数（１又は複数）、形状、サイズ、配置等については適宜変更可能である。また、本発明は、遊技球Ｂを誘導する種々の球誘導装置、例えば、遊技球Ｂをステージ１５にではなく、種々の入賞口の近くに誘導するものや、入賞口の近く以外に誘導する球誘導装置にも適用できるものである。
【図面の簡単な説明】
【００６３】
【図１】実施例に係るパチンコ遊技機の正面図である。
【図２】遊技盤の正面図である。
【図３】ステージと球誘導装置の斜視図である。
【図４】パチンコ遊技機の制御系のブロック図である。
【図５】球誘導装置の斜視図である。
【図６】球誘導装置のガイド筒体を省略した状態の斜視図である。
【図７】図５のVII −VII 線断面図である。
【図８】図７のVIII−VIII線断面図である。
【図９】球誘導装置の途中球出口が排出可能位置にある状態の要部断面図である。
【図１０】球誘導装置の途中球出口が排出不可能位置にある状態の要部断面図である。
【符号の説明】
【００６４】
Ｂ  遊技球
１  パチンコ遊技機
１０ａ，１０ｂ  始動入賞口
１２ａ  大入賞口
１５  ステージ
１６  球誘導装置
２１  メイン制御装置
４０  入賞案内部
５０  ガイド筒体
５０ａ  上球入口
５０ｂ  下球出口
５０ｃ，５０ｄ  途中球出口
５５  ワープ通路
６０  螺旋回転体
６０ａ  螺旋通路
７０  回転駆動機構
７１  電動モータ
【図１】
2010110516.tif 000003
【図２】
2010110516.tif 000004
【図３】
2010110516.tif 000005
【図４】
2010110516.tif 000006
【図５】
2010110516.tif 000007
【図６】
2010110516.tif 000008
【図７】
2010110516.tif 000009
【図８】
2010110516.tif 000010
【図９】
2010110516.tif 000011
【図１０】
2010110516.tif 000012